(57)【特許請求の範囲】
【請求項１】
表面カバーとベースとよりなるケースに内蔵され、撮像角度が調整可能に設けられたカメラを備えたカメラ付ドアホンにおいて、前記カメラはカメラユニットに設置され、前記カメラの撮像角度を調整するために前記カメラユニットに設けられた回動軸と、前記回動軸を回動可能に支承するために前記ケース内に設けられた軸受とが、スライド嵌合する構造とし、且つ
前記ベースの裏側から前記カメラの撮像角度を調整するための回動式の角度調整レバーを設け、前記カメラユニットの回動側と前記角度調整レバーの被回動側を回動連接部で連接されると共に、
前記角度調整レバーに、前記カメラユニットと前記ケースとの間に挿嵌され、前記カメラユニットのスライドを防ぐガイド部を延設したことを特徴とするカメラ付ドアホン。
【請求項２】
請求項１において、前記表面カバーには、前記カメラユニットの一部に当接して弾性変形し、弾性復元する際に、前記カメラユニットの回動軸を前記軸受に移動させて嵌合させる押し戻しリブ片を突設していることを特徴とするカメラ付ドアホン。
【請求項３】
請求項２において、前記押し戻しリブ片の先端部にテーパ部を形成したことを特徴とするカメラ付ドアホン。
【請求項４】
請求項１〜３のいずれかにおいて、前記ベースの裏側から前記カメラの撮像角度を調整するための回動式の角度調整レバーを設け、この角度調整レバーを上に操作すると前記カメラが上に回動し、この角度調整レバーを下に操作すると前記カメラが下に回動するように構成したことを特徴とするカメラ付ドアホン。
【請求項５】
請求項１において、前記回動連接部は、前記カメラユニットの回動側あるいは前記角度調整レバーの被回動側のいずれか一方に設けられた連接突起と、他方に設けられ前記連接突起とスライド可能に係合する連接ガイドとから構成され、前記連接ガイドに前記連接突起の抜け落ち防止部を設けたことを特徴とするカメラ付ドアホン。
【請求項６】
請求項１または５のいずれかにおいて、前記回動連接部は、前記カメラユニットに設けた連接突起と、前記角度調整レバーに設けられた前記連接突起とスライド可能に係合する連接ガイドとから構成され、前記角度調整レバーを軸支するレバー軸支リブを前記ケース内に突設し、前記角度調整レバーに、前記レバー軸支リブと前記カメラユニットとの間に挿嵌され前記カメラユニットのスライドを防ぐガイド部を延設したことを特徴とするカメラ付ドアホン。
【請求項７】
請求項４〜６のいずれかにおいて、前記ベースには、前記角度調整レバーを突出させるための窓孔を形成し、前記表面カバーに前記カメラユニットと、前記角度調整レバーを組付け、前記ベースを被せた構造としていることを特徴とするカメラ付ドアホン。
【請求項８】
請求項１〜６のいずれかにおいて、前記ベースには、前記角度調整レバーを突出させるための窓孔を形成し、前記角度調整レバーは、前記回動連接部に隣接させて、前記表面カバーに設けた位置合わせ溝に回動可能な状態に嵌入固定される位置合わせ軸部を設けた構造とし、前記表面カバーに前記カメラユニットと、前記角度調整レバーを組付け、前記ベースを被せた構造としていることを特徴とするカメラ付ドアホン。
【発明の詳細な説明】
【０００１】
【発明の属する技術分野】
【０００２】
本発明は、撮像角度、つまり、仰角が調整可能なカメラを備えたカメラ付ドアホンに関する。
【従来の技術】
【０００３】
従来より、カメラの撮像角度を調整できるようにした、カメラ付ドアホンが提案されている。
図１０（ａ）は従来のカメラ付ドアホンの一例の要部概念図、（ｂ）はカメラユニット装着前の状態を示す要部概念図である。
このカメラ付ドアホン２０は、ドアホン２０の前面をカバーする表面カバー１１、表面カバー１１を着脱自在に取り付けるベース１２、カメラ１３ａなどを実装したカメラユニット１３、カメラユニット１３を回動させるための角度調整レバー１４を備えている。
【０００４】
表面カバー１１は、カメラ１３ａの前面に設けられた赤外線透過フィルター１１ａ、角度調整レバー１４を回動可能に支承する位置合わせ溝１３ｅａを備えた軸受体１３ｅ，カメラユニット１３を回動支承する軸受１３ｆを備えている。
ベース１２は、角度調整レバー１４の操作のための窓孔１２ａを備え，この窓孔１２ａの表面カバー１１側は、位置合わせ溝１３ｅａを中心に回動する角度調整レバー１４を回動可能にガイドする湾曲凹面１２ｃとなっている。
【０００５】
カメラユニット１３は、カメラ１３ａや赤外線照射ランプ（不図示）などの関連部品を搭載した基板１３ｂと、カメラユニット１３を回動させるための連接突起１３ｃ、表面カバー１１に設けられた軸受１３ｆに支承され、カメラユニット１３を回動させるための回動軸１３ｄ、カメラユニット３全体の支持体となっているユニット本体１３ｇを備えている。
【０００６】
角度調整レバー１４は、カメラユニット１３の連接突起１３ｃとスライド可能に係合する連接ガイド１４ａ、表面カバー１１の軸受体１３ｅに設けられた位置合わせ溝１３ｅａに支承される位置合わせ軸１４ｂ、この軸１４ｂを中心とする曲率半径で構成され、ベース１２の窓孔１２ａに形成された湾曲凹面１２ｃに対面する湾曲凸面１４ｃを備えている。つまり、角度調整レバー１４は、片方に開放された連接ガイド１４ａと連接ガイド１４ａとの係合と、湾曲凹面１２ｃと湾曲凸面１４ｃの組み合わせの協動作用により、ベース１２を被せた状態では、スムーズに回動できるようになっている。
【０００７】
こうして、角度調整レバー１４を矢印で示すように回動させると、その回動が、連接ガイド１４ａとカメラユニット１３の連接突起１３ｃとの係合により反対方向の回動に転換され、カメラユニット１３は回動軸１３ｄを中心に、角度調整レバー１４の回動方向と反対方向に回動しする。つまり、角度調整レバー１４を上にあげると、カメラ１３ａが上に向き、下にさげると、カメラ１３ａが下に向くといった関係が成立している。
【０００８】
したがって、現場でカメラ付きドアホン２０を設置する前に、ベース１２側から、カメラ１３ａが見えない状態でカメラ１３ａの仰角を調整する場合に、角度調整レバー１４の動きとカメラ１３ａの動きの対応関係が直感的に把握しやすく、調整が簡単であった。
【０００９】
また、角度調整レバー１４は、表面カバー１１の軸受体１３ｅに設けられた位置合わせ溝１３ｅａに位置合わせ軸１４ｂを嵌めるだけで、同時に連接ガイド１４ａとカメラユニット１３の連接突起１３ｃとの係合も達成され、更に、ベース１２を被せるだけで、全体の組み付けが終了するので組み立てもしやすいものであった。
【発明が解決しようとする課題】
【００１０】
しかしながら、カメラユニット１３の回動軸１３ｄと表面カバ−１１に設けられた軸受１３ｆの嵌合保持は、双方が設けられている部分の材料の弾性付勢力を利用したもので、図１（ｂ）に示すような状態から、カメラユニット１３を下に押し込むことによって、回動軸１３ｄが軸受１３ｆの孔部１３ｆａに嵌まり込んで、その状態を維持するようになっていたが、そのような付勢力を生じるユニット本体１３ｇの部分の長さが短く、あまり大きなたわみがとれないので、回動軸１３ｄの嵌合部分１３ｄａの長さもあまり長く取れず、カメラユニット１３の回動中に外れたりすることがあり、改善が望まれていた。
【００１１】
また、角度調整レバー１４の位置合わせ軸１４ｂを支承する表面カバー１１の軸受体１３ｅに設けられた位置合わせ溝１３ｅａは、完全に位置合わせ軸１４ｂを囲むものではなく、多少のガタが生じ、そのため、連接ガイド１４ａとカメラユニット１３の連接突起１３ｃとの係合が外れたりすることがあり、改善がのぞまれていた。
【００１２】
本発明は、上記の問題を解決するためになされたものであり、カメラユニットの回動が確実に行われ、また、角度調整レバーとカメラユニットの回動係合も確実に行われるカメラ付ドアホンを提供することを目的とする。
【課題を解決するための手段】
【００１３】
請求項１に記載のカメラ付ドアホンは、表面カバーとベースとよりなるケースに内蔵され、撮像角度が調整可能に設けられたカメラを備えたカメラ付ドアホンにおいて、前記カメラはカメラユニットに設置され、前記カメラの撮像角度を調整するために前記カメラユニットに設けられた回動軸と、前記回動軸を回動可能に支承するために前記ケース内に設けられた軸受とが、スライド嵌合する構造とし、且つ前記ベースの裏側から前記カメラの撮像角度を調整するための回動式の角度調整レバーを設け、前記カメラユニットの回動側と前記角度調整レバーの被回動側を回動連接部で連接されると共に、前記角度調整レバーに、前記カメラユニットと前記ケースとの間に挿嵌され、前記カメラユニットのスライドを防ぐガイド部を延設したことを特徴とする。
【００１４】
このドアホンは、カメラユニットの回動軸をケース内に設けられた軸受に嵌合させるのに、この回動軸の軸に直角方向からカメラユニットの回動軸を差し込み、回動軸の軸心と軸受の心とを一致させてから、カメラユニットをその回動軸方向にスライドさせて、この両者を嵌合させるようにしたものである。
【００１５】
よって、材料の弾性などを利用するものでなく、嵌合の長さをカメラユニットの回動を十分保証する長さとすることができ、カメラユニットの回動を確実にすることができる。
【００１６】
ここで回動連接部とは、離間した軸を中心に回動する２つの回動体の一方から他方へ回動力を伝達するための手段をいい、その連接部が、半径方向のスライドは許容し、円周方向の動きを伝えるようになっているもの、具体的には後述する連接突起と連接ガイドからなるものや、また、歯車や、ベルトなどを用いた回動力伝達手段を含むものである。
【００１７】
また、このドアホンは、レバーとカメラの調整対応関係を実現する手段をより具体的に規定したもので、レバーを時計回りに回動させるとカメラは反時計回りに回動し、レバーを反時計回りに回動させるとカメラは時計回りに回動する。こうして、レバーを上げると、カメラが上を向き、レバーを下げるとカメラが下を向くといった解り易い対応関係を実現することができる。
【００１８】
しかも、このドアホンは、角度調整レバーに、ケースとカメラユニットの間に挿嵌されるガイド部を延設して、カメラユニットのスライドを防止するものである。
【００１９】
請求項２記載のカメラ付ドアホンは、請求項１において、前記表面カバーには、前記カメラユニットの一部に当接して弾性変形し、弾性復元する際に、前記カメラユニットの回動軸を前記軸受に移動させて嵌合させる押し戻しリブ片を突設していることを特徴とする。
【００２０】
このドアホンは、請求項１に記載のスライド嵌合の付勢力を与えるとともに、一旦嵌合した後には、カメラユニットの回動軸とケースに設けられた軸受との嵌合状態を保持する押し戻しリブ片を設けたものである。
【００２１】
したがって、カメラユニットを表面カバーに押し込むだけで、回動軸が軸受にはまり込み、組み立てが容易であると共に、嵌合後は容易に外れることがなく、カメラユニットの回動を確実にする。
【００２２】
請求項３に記載のカメラ付ドアホンは、請求項２において、前記押し戻しリブ片の先端部にテーパ部を形成したことを特徴とする。
【００２３】
このドアホンは、押し戻しリブ片の先端にテーパ部を設け、カメラユニットの押し込みを容易にしたものである。したがって、組み立てがより容易になる。
【００２４】
請求項４に記載のカメラ付ドアホンは、請求項１〜３のいずれかにおいて、前記ベースの裏側から前記カメラの撮像角度を調整するための回動式の角度調整レバーを設け、この角度調整レバーを上に操作すると前記カメラが上に回動し、この角度調整レバーを下に操作すると前記カメラが下に回動するように構成したことを特徴とする。
【００２５】
このドアホンは、角度調整レバーを上に操作すると、カメラが上を向き、下に操作するとカメラが下を向くので、レバーの操作とカメラの撮像角度の対応関係が直感的に解りやすく、調整の操作がしやすい。
【００２６】
請求項５に記載のカメラ付ドアホンは、請求項１において、前記回動連接部は、前記カメラユニットの回動側あるいは前記角度調整レバーの被回動側のいずれか一方に設けられた連接突起と、他方に設けられ前記連接突起とスライド可能に係合する連接ガイドとから構成され、前記連接ガイドに前記連接突起の抜け落ち防止部を設けたことを特徴とする。
【００２７】
このドアホンは、角度調整レバーに多少のガタつきがあっても、回動連接部の連接突起と連接ガイドの係合が外れないように、連接ガイドの長さを通常の係合に必要な長さより長くし、これを抜け落ち防止部としたものである。したがって、この両者の回動係合がより確実になされる。
【００２８】
請求項６に記載のカメラ付ドアホンは、請求項１または５のいずれかにおいて、前記回動連接部は、前記カメラユニットに設けた連接突起と、前記角度調整レバーに設けられた前記連接突起とスライド可能に係合する連接ガイドとから構成され、前記角度調整レバーを軸支するレバー軸支リブを前記ケース内に突設し、前記角度調整レバーに、前記レバー軸支リブと前記カメラユニットとの間に挿嵌され前記カメラユニットのスライドを防ぐガイド部を延設したことを特徴とする。
【００２９】
このドアホンは、スライド嵌合されたカメラユニットが回動軸方向にスライドして、その嵌合が外れるのを防止するために、この両者の嵌合後に、カメラユニットの軸受とレバー軸支リブの間に挿嵌される角度調整レバーに、このスライドを防止するガイド部を設けたものである。
【００３０】
したがって、カメラユニット自体の回動嵌合が外れることがなく、確実に回動させることができる。
【００３１】
請求項７に記載のカメラ付ドアホンは、請求項４〜６のいずれかにおいて、前記ベースには、前記角度調整レバーを突出させるための窓孔を形成し、前記表面カバーに前記カメラユニットと、前記角度調整レバーを組付け、前記ベースを被せた構造としていることを特徴とする。
【００３２】
このドアホンは、角度調整レバーを表面カバーに組付けて位置決めし、このレバーにベースの窓孔を嵌めるだけで、ベースを表面カバーに簡単に組付けることができる。したがって、素早くかつ簡単に組立作業を行なうことができる。
【００３３】
請求項８に記載のカメラ付ドアホンは、請求項１〜６のいずれかにおいて、前記ベースには、前記角度調整レバーを突出させるための窓孔を形成し、前記角度調整レバーは、前記回動連接部に隣接させて、前記表面カバーに設けた位置合わせ溝に回動可能な状態に嵌入固定される位置合わせ軸部を設けた構造とし、前記表面カバーに前記カメラユニットと、前記角度調整レバーを組付け、前記ベースを被せた構造としていることを特徴とする。
【００３４】
このドアホンは、カメラユニットと角度調整レバーを連接する回動連接部に隣接させて、表面カバー側には位置合わせ溝、レバー側には位置合わせ軸部が設けられているので、角度調整レバーとカメラユニットを係合させると、位置合わせ溝と位置合わせ軸部の係合も同時に達成され、両者の係合により、より安定状態の係合となる。
【００３５】
したがって、単に表面カバーにカメラユニットを嵌合させ、さらに、角度調整レバーを差し込むだけでこれらの間の係合状態が安定的に達成され、あとは、このレバーに窓孔を合わせて、ベースを被せるだけで、組み付けが終了し、組み立てが容易になる。
【発明の実施の形態】
【００３６】
以下に、本発明の実施の形態について、図面を用いて説明する。
図１（ａ）は本発明のカメラ付ドアホンの一例の要部概念図、（ｂ）はカメラユニット装着前の状態を示す要部概念図、（ｃ）は装着後の状態を示す要部概念図である。
このカメラ付ドアホンのカメラと角度調整レバーの回動連接構造は、基本的には図１０の従来例のものと同様で、相違するのはカメラユニットを表面カバーあるいはベースに回動嵌合させる構造である。
【００３７】
図１（ａ）のカメラ付ドアホン１０は、ドアホン１０の前面をカバーする表面カバー１、表面カバー１を着脱自在に取り付けるベース２、カメラ３ａなどを実装したカメラユニット３、カメラユニット３を回動させるための角度調整レバー４から構成されている。なお、カバー１とベース２を合わせてケース５とする。
【００３８】
表面カバー１は、カメラ３ａの前面に設けられた赤外線透過フィルター１ａ、角度調整レバー４を回動可能に支承する位置合わせ溝３ｅａを備えた軸受体３ｅ，カメラユニット３を回動支承する軸受３ｆを備えている。
【００３９】
ベース２は、角度調整レバー４の操作のための窓孔２ａを備え，この窓孔２ａの表面カバー１側は、位置合わせ溝３ｅａを中心に回動する角度調整レバー４を回動可能にガイドする湾曲凹面２ｃとなっている。
【００４０】
カメラユニット３は、カメラ３ａや赤外線照射ランプ（不図示）などの関連部品を搭載した基板３ｂと、カメラユニット３を回動させるための連接突起１３ｃａ、表面カバー１に設けられた軸受３ｆに支承され、カメラユニット３を回動させるための回動軸３ｄ、カメラユニット３全体の支持体となっているユニット本体３ｇを備えている。
【００４１】
このカメラ付ドアホン１０は、表面カバー１に設けた軸受３ｆとカメラユニット３の回動軸３ｄの構造、および、表面カバー１に突設され、テーパ部１ｃを形成した押し戻しリブ片１ｂを特徴とする。
【００４２】
カメラユニット３の回動軸３ｄは、図１（ｂ），（ｃ）に示すようにユニット本体３ｇから同じ方向に突出するように一対で設けられ、それが表面カバー１の軸受３ｆに嵌合する嵌合部３ｄａの長さは、図１０の従来例の回動軸１３ｄの嵌合部１３ｄａより長いものとなっており、回動軸３ｄと軸受３ｆとの嵌合を確実なものとしている。
【００４３】
表面カバー１に設けた軸受３ｆは、カメラユニット３の回動軸３ｄに対応して一対で設けられ、この回動軸３ｄを嵌合させる孔部３ｆａと、回動軸３ｄを軸の直角方向からいったん受けて孔部３ｆａへスライドさせ嵌合させるガイド受部３ｆｂを備えている．したがって、図１（ｂ）、（ｃ）に示すように、図の上から、カメラユニット３を表面カバー１側に下ろして来て、回動軸３ｄを軸受３ｆのガイド受部３ｆｂに当接させて、ついで、図の左方向にカメラユニット３をスライドさせるだけで、回動軸３ｄが軸受３ｆの孔部３ｆａに嵌合し、カメラユニット３と軸受３ｆのスライド嵌合が簡単に実現できる。
【００４４】
このようにスライド嵌合させるようにすると、上述したように、回動軸３ｄと軸受３ｆの嵌合部３ｄａの長さをより長く確保することができる。
【００４５】
表面カバー１に突設された押し戻しリブ片１ｂは、このスライド嵌合の際に、カメラユニット３の一部に当接して弾性変形し、弾性復元する際に、カメラユニット３の回動軸３ｄを軸受３ｆにスライド嵌合させる．したがって、カメラユニット３の回動軸３ｄと軸受３ｆのスライド嵌合がスムーズに行われ、組み立てが容易になる。
【００４６】
また、嵌合した後には、この押し戻しリブ片１ｂが、カメラユニット３の軸方向のスライドを規制しており、回動軸３ｄと軸受３ｆの嵌合を保持するので、カメラユニット３自体の回動嵌合を確実なものにしている。
【００４７】
押し戻しリブ片１ｂの上部に設けられたテーパ部１ｃは、カメラユニット３の一部と係合して、押し戻しリブ片１ｂの弾性変形をよりスムーズにして、組み立てを容易にしている。
【００４８】
なお、ここでは、軸受３ｆが表面カバー１に設けられている例を説明したが、これに限らず、ケース５内いずれの場所に設けてもよい．角度調整レバー４は、カメラユニット３の連接突起３ｃａとスライド可能に係合する連接ガイド４ａａ、表面カバー１の軸受体３ｅに設けられた位置合わせ溝３ｅａに支承される位置合わせ軸４ｂ、この軸４ｂを中心とする曲率半径で構成され、ベース２の窓孔２ａに形成された湾曲凹面２ｃに対面する湾曲凸面４ｃを備えている。つまり、角度調整レバー４は、片方に開放された位置合わせ溝３ｅａと位置合わせ軸４ｂとの係合と、湾曲凹面２ｃと湾曲凸面４ｃの組み合わせの協動作用により、ベース２を被せた状態では、スムーズに回動できるようになっている。
【００４９】
この構造は、従来例のものと同様であり、このドアホンは、上記のスライド嵌合の効果に加えて、角度調整レバー４を上にあげると、カメラ３ａが上に向き、下にさげると、カメラ３ａが下に向くといった調整が可能で、現場でカメラ付きドアホン１０を設置する前に、ベース２側から、カメラ３ａが見えない状態でカメラ３ａの仰角を調整する場合に、角度調整レバー４の動きとカメラ３ａの動きの対応関係が直感的に把握しやすく、調整が簡単である。
【００５０】
特に、赤外線透過フィルター１ａに覆われてカメラ３ａの撮像角度の確認が困難なため、このドアホン１０をカメラ３ａを下側にして、角度調整レバー４で撮像角度を調整するとき、レバー４の向きが、カメラ３ａの向きに対応していると直感的に理解し易く、この角度調整がやりやすい。
【００５１】
また、角度調整レバー４は、表面カバー１の軸受体３ｅに設けられた位置合わせ溝３ｅａに位置合わせ軸４ｂを嵌めるだけで、同時に連接ガイド４ａａとカメラユニット３の連接突起１３ｃａとの係合も達成され、更に、ベース２を被せるだけで、全体の組み付けが終了するので組み立てもしやすい。
【００５２】
図２（ａ）は本発明のカメラ付ドアホンにおける装着前のカメラユニット部分の横断面図、（ｂ）は（ａ）のＬ部詳細図、（ｃ）は（ａ）のＭ部詳細図、図３（ａ）は本発明のカメラ付ドアホンにおける装着後のカメラユニット部分の横断面図、（ｂ）は（ｃ）の角度調整レバーの側面図、（ｃ）は（ａ）のＬ部詳細図、（ｄ）は（ａ）のＭ部詳細図である。
【００５３】
この図は、図１に概念的に示されたドアホンを実施例に即してより詳細に示したものであり、同じ部分については、同じ符号を付して重複説明を省略する。なお、図２、３では、図１（ｂ），（ｃ）に比べ上下が反転しており、表面カバー１が上になっている。
【００５４】
この図に示すドアホン１０は、図１に示したものに比べて、押し戻しリブ片１ｂが設けられず、その代わりのものとして、図３に示すように、角度調整レバー４にガイド部４ｅが設けられている．図２では、カメラユニット３の回動軸３ｄが表面カバー１側の軸受３ｆに設けられたガイド受部３ｆｂに当接しており、この場合、押し戻しリブ片１ｂがないので、手操作などで、図３の状態になるようにカメラユニット３をスライドさせる必要がある。
【００５５】
図３に示すように、表面カバー１には角度調整レバー４を軸支するレバー軸支リブ１ｄが設けられており、このレバー軸支リブ１ｄとカメラユニット３の回動軸３ｄの間に角度調整レバー４のガイド部４ｅが挿入されている。
【００５６】
この角度調整レバー４のガイド部４ｅは、カメラユニット３の回動軸３ｄを表面カバー１側の軸受３ｆにスライド嵌合させた後に、レバー軸支リブ１ｄとカメラユニット３の回動軸３ｄの間に生じる隙間を埋める役割を果たしており、これによって、カメラユニット３が回動軸３ｄの軸方向にスライドして、カメラユニット３の回動軸３ｄと軸受３ｆの嵌合が外れるのを防止している。つまり、押し戻しリブ片１ｂと同様の役割をより確実に果たしている。
【００５７】
ここで、図１で説明した位置合わせ溝３ｅａを備えた軸受体３ｅと抜け落ち防止部４ｄは、ここで説明したレバー軸支リブ１ｄとガイド部４ｅと同じ部分を、異なる機能面から把握し、表現したものであって、図３では、そのことが解るように符号を重複して記載している。つまり、このカメラ付ドアホン１０では、同一の部分が複数の機能を果たすように構成されており、部品点数の削減、装置の小型化を実現している。
【００５８】
図４は、本発明のカメラ付ドアホンをベース側から見た分解斜視図、図５は、本発明のカメラ付ドアホンを表面カバー側から見た分解斜視図、図６は、表面カバー、カメラユニット、角度調整レバーの組み付け状態を説明する要部斜視図である。
【００５９】
図４、５、６に示すように、本発明のドアホン１０は、表面カバー１に、カメラ３ａ，基板３ｂ、ユニット本体３ｇを組み付けたカメラユニット３をスライド嵌合させ、角度調整レバー４を差し込んで、この嵌合が外れないようにすると共に、角度調整レバー４の軸支、角度調整レバー４とカメラユニット３の回動連接を同時に達成し、かつ、その角度調整レバー４が窓孔２ａから覗くようにベース２を被せることで、角度調整レバー４の調整のための回動をスムーズにし、カメラ３ａの角度調整ができるようにしおり、組み立てが非常に簡単でかつ、カメラユニットの回動、角度調整レバー４とカメラユニット３の回動連接も確実にしている。
【００６０】
また、図６では、解りやすいように、カメラ３ａと基板３ｂを除いた状態で示しているが、図３で説明したように、角度調整レバー４をユニット本体３ｇとレバー軸支リブ１ｄの間に挟み込んで係合させるだけで、上記効果が発揮されることが解る．さらに、図６の状態で、角度調整レバー４が安定した係合状態を維持しており、ここに、簡単にベース２を被せるだけで、カメラ付ドアホン１０の組み立てをすることができることが解る．なお、上述のスライド嵌合を用いる構造の場合、カメラユニット３の回動軸３ｄは、ケース５内に設けられた軸受３ｆは、剛体であっても、弾性体であってもよい。
【００６１】
図７は、本発明のカメラ付ドアホンの他例の要部概念図である。
このカメラ付ドアホン１０Ａは、図１（ａ）のドアホン１０に比べて、カメラユニット３側に連接ガイド３ｃｂが設けられ、角度調整レバー４側に連接突起４ａｂが設けられている点が相違する。また、この相違に対応して、カメラユニット３側に連接ガイド３ｃｂに抜け落ち防止部３ｃｃが設けられている．したがって、この場合も、図１のドアホン１０と同様に、スライド嵌合、回動連接、抜け落ち防止、組み立て容易の効果を発揮する。
【００６２】
図８は、本発明のカメラ付ドアホンの他例の要部概念図である。
図８（ａ）のカメラ付ドアホン１０Ｂは、図１（ａ）のドアホン１０に比べて、角度調整レバー４Ａがベース２に軸支されている点が異なるだけである。
【００６３】
このような場合にも、カメラユニット３の回動軸３ｄと軸受３ｆによるスライド嵌合の効果、角度調整レバー４Ａの連接ガイド４ａａとカメラユニット３の連接突起３ｃａによる回動連接の効果、抜け落ち防止部４ｄによる抜け落ち防止の効果が同様に発揮される。
【００６４】
図８（ｂ）のカメラ付ドアホン１０Ｃは、図８（ａ）のドアホン１０Ｂに比べて、カメラユニット３側に連接ガイド３ｃｂが設けられ、角度調整レバー４Ａ側に連接突起４ａｂが設けられている点が相違する。また、この相違に対応して、カメラユニット３側の連接ガイド３ｃｂに抜け落ち防止部３ｃｃが設けられている．したがって、この場合も、図８（ａ）のドアホン１０Ｂと同様に、スライド嵌合、回動連接、抜け落ち防止、組み立て容易の効果を発揮する。
【００６５】
図９は、本発明のカメラ付ドアホンの他例の要部概念図である。
このカメラ付ドアホン１０Ｄは、図１（ａ）のドアホン１０に比べて、角度調整レバー４Ｂがベース２にスライド移動するように係止されている点が異なる．このような場合にも、カメラユニット３の回動軸３ｄと軸受３ｆによるスライド嵌合の効果が同様に発揮される。
【発明の効果】
【００６６】
請求項１に記載のカメラ付ドアホンによれば、カメラユニットの回動軸をケース内に設けられた軸受に嵌合させるのに、この回動軸の軸に直角方向からカメラユニットの回動軸を差し込み、回動軸の軸心と軸受の心とを一致させてから、カメラユニットをその回動軸方向にスライドさせて、この両者を嵌合させるようにしたので、材料の弾性などを利用するものでなく、嵌合の長さをカメラユニットの回動を十分保証する長さとすることができ、カメラユニットの回動を確実にすることができる。
【００６７】
また、上記効果に加え、レバーとカメラの調整対応関係を実現する手段をより具体的に規定したので、レバーを上げると、カメラが上を向き、レバーを下げるとカメラが下を向くといった解り易い対応関係を実現することができる。
【００６８】
しかも、角度調整レバーに、ケースとカメラユニットの間に挿嵌されるガイド部を延設したので、カメラユニット自体の回動嵌合が外れることがなく、確実に回動させることができる。
【００６９】
請求項２に記載のカメラ付ドアホンによれば、請求項１の効果に加え、表面カバーには、スライド嵌合の付勢力を与えるとともに、一旦嵌合した後には、カメラユニットの回動軸とケースに設けられた軸受との嵌合状態を保持する押し戻しリブ片を設けたので、カメラユニットを表面カバーに押し込むだけで、回動軸が軸受にはまり込み、組み立てが容易であると共に、嵌合後は容易に外れることがなく、カメラユニットの回動を確実にする。
【００７０】
請求項３に記載のカメラ付ドアホンによれば、請求項２の効果に加え、押し戻しリブ片の先端にテーパ部を設け、カメラユニットの押し込みを容易にしたので、組み立てがより容易になる。
【００７１】
請求項４に記載のカメラ付ドアホンによれば、請求項１〜３のいずれかの効果に加え、角度調整レバーを上に操作すると、カメラが上を向き、下に操作するとカメラが下を向くので、レバーの操作とカメラの撮像角度の対応関係が直感的に解りやすく、調整の操作がしやすい。
【００７２】
請求項５に記載のカメラ付ドアホンによれば、請求項１の効果に加え、角度調整レバーに多少のガタつきがあっても、回動連接部の連接突起と連接ガイドの係合が外れないように、連接ガイドの長さを通常の係合に必要な長さより長くし、これを抜け落ち防止部としたので、この両者の回動係合がより確実になされる。
【００７３】
請求項６に記載のカメラ付ドアホンによれば、請求項１または５のいずれかの効果に加え、スライド嵌合されたカメラユニットが回動軸方向にスライドして、その嵌合が外れるのを防止するために、この両者の嵌合後に、カメラユニットの軸受とレバー軸支リブの間に挿嵌される角度調整レバーに、このスライドを防止するガイド部を設けたので、カメラユニット自体の回動嵌合が外れることがなく、確実に回動させることができる。
【００７４】
請求項７に記載のカメラ付ドアホンによれば、請求項４〜６のいずれかの効果に加え、角度調整レバーを表面カバーに組付けて位置決めし、このレバーにベースの窓孔を嵌めるだけで、ベースを表面カバーに簡単に組付けることができるので、素早くかつ簡単に組立作業を行なうことができる。
【００７５】
請求項８に記載のカメラ付ドアホンによれば、請求項１〜６のいずれかの効果に加え、単に表面カバーにカメラユニットを嵌合させ、さらに、角度調整レバーを差し込むだけでこれらの間の係合状態が安定的に達成され、あとは、このレバーに窓孔を合わせて、ベースを被せるだけで、組み付けが終了し、組み立てが容易になる。
【図面の簡単な説明】
【図１】（ａ）は本発明のカメラ付ドアホンの一例の要部概念図、（ｂ）はカメラユニット装着前の状態を示す要部概念図、（ｃ）は装着後の状態を示す要部概念図
【図２】（ａ）は本発明のカメラ付ドアホンにおける装着前のカメラユニット部分の横断面図、（ｂ）は（ａ）のＬ部詳細図、（ｃ）は（ａ）のＭ部詳細図
【図３】（ａ）は本発明のカメラ付ドアホンにおける装着後のカメラユニット部分の横断面図、（ｂ）は（ｃ）の角度調整レバーの側面図、（ｃ）は（ａ）のＬ部詳細図、（ｄ）は（ａ）のＭ部詳細図
【図４】本発明のカメラ付ドアホンをベース側から見た分解斜視図
【図５】本発明のカメラ付ドアホンを表面カバー側から見た分解斜視図
【図６】表面カバー、カメラユニット、角度調整レバーの組み付け状態を説明する要部斜視図
【図７】本発明のカメラ付ドアホンの他例の要部概念図
【図８】本発明のカメラ付ドアホンの他例の要部概念図
【図９】本発明のカメラ付ドアホンの他例の要部概念図
【図１０】（ａ）は従来のカメラ付ドアホンの一例の要部概念図、（ｂ）はカメラユニット装着前の状態を示す要部概念図
【符号の説明】
１ 表面カバー
１ａ 赤外線透過フィルター
１ｂ 押し戻しリブ片
１ｃ テーパ部
１ｄ レバー軸支リブ
２ ベース
２ａ 窓孔
２ｂ 窓孔
２ｃ 湾曲凹面
２ｄ 角度保持突起
３ カメラユニット
３ａ カメラ
３ｂ 基板
３ｃａ 連接突起 回動連接部
３ｃｂ 連接ガイド
３ｃｃ 抜け落ち防止部
３ｄ 回動軸
３ｅ 軸受体
３ｅａ 位置合わせ溝
３ｆ 軸受
３ｆａ 孔部
３ｆｂ ガイド受部
３ｇ ユニット本体
４ 角度調整レバー
４ａａ 連接ガイド
４ａｂ 連接突起 回動連接部
４ｂ 位置合わせ軸部
４ｃ 湾曲凸面
４ｄ 抜け落ち防止部
４ｅ ガイド部
５ ケース
１０ カメラ付ドアホン
【図１】
0003644487.tif 000002
【図２】
0003644487.tif 000003
【図３】
0003644487.tif 000004
【図４】
0003644487.tif 000005
【図５】
0003644487.tif 000006
【図６】
0003644487.tif 000007
【図７】
0003644487.tif 000008
【図８】
0003644487.tif 000009
【図９】
0003644487.tif 000010
【図１０】
0003644487.tif 000011